(57)【要約】【課題】良好に情報を出力する放送波受信システムを提供する。【解決手段】放送波受信システム１００の受信装置２００は、ワンセグ放送に対応するワンセグ対応パケットおよび１２セグ放送に対応する１２セグ対応パケットを備えたデジタル放送波のデジタル信号を取得するチューナ２１０と、出力部２５０から出力する番組がワンセグ放送であるのか１２セグ放送であるのかを設定するプリセット情報を各放送局の放送周波数ごとに設定するプリセット設定手段と、このプリセット情報に基づいて、ワンセグ対応パケットおよび１２セグ対応パケットのうちいずれか一方をデコードした出力信号を出力装置３００に出力させる制御をする出力制御手段と、を具備した。【選択図】図１
2007325061.tif 000002
【特許請求の範囲】
【請求項１】
所定周波数帯域のデジタル波をエラー耐性が異なる少なくとも２つの階層に分割し、これらの階層によりそれぞれ伝送される少なくとも２つのコンテンツデータを備えたデータ構造に構築されて配信される所定周波数の配信データを取得する配信データ取得手段と、
出力するコンテンツデータの階層の設定に関する出力階層データを前記配信データの周波数ごとに設定する出力設定手段と、
前記配信データ取得手段にて取得した前記配信データから、前記出力設定手段にて設定された前記出力階層データに対応する所定の階層により伝送されるコンテンツデータを抽出して出力装置に出力する出力制御手段と、
を具備したことを特徴とした情報処理装置。
【請求項２】
請求項１に記載の情報処理装置であって、
出力する前記コンテンツデータの階層の設定に関する出力設定要求情報を認識する要求情報認識手段を備え、
前記出力設定手段は、前記出力設定要求情報に基づいて、出力する前記コンテンツデータが伝送される階層を所定の階層に固定する固定設定と、前記階層を前記配信データの取得状態に応じて切り替える切替設定と、のいずれか一方に前記出力階層データを設定する
ことを特徴とした情報処理装置。
【請求項３】
請求項２に記載の情報処理装置であって、
前記配信データの前記少なくとも２つのコンテンツデータの配信に関する配信内容データを有する配信データ関連情報を取得する配信データ関連情報取得手段と、
前記配信データ関連情報から、配信時間が同時刻である少なくとも２つの前記コンテンツデータに対応した前記配信内容データを認識し、これらの配信内容データが同一であるか否かを判断する配信内容データ判断手段と、を備え、
前記出力制御手段は、前記配信データに対する前記出力階層データが前記切替設定であるとともに、前記配信内容データ判断手段にて配信時間が同時刻である少なくとも２つの前記コンテンツデータに対応した前記配信内容データが同一であると判断された場合、少なくとも２つの前記コンテンツデータのうち、エラー信号が少ないコンテンツデータを選択して出力する
ことを特徴とした情報処理装置。
【請求項４】
請求項３に記載の情報処理装置であって、
前記出力制御手段は、前記配信データに対する前記出力階層データが前記切替設定であるとともに、前記配信内容データ判断手段にて配信時間が同時刻である前記伝送状態が異なる階層により伝送される少なくとも２つのコンテンツデータに対応した前記配信内容データが異なる内容であると判断された場合、前記伝送状態が異なる少なくとも２つの階層のうち、エラー耐性が高い階層により伝送される前記コンテンツデータを選択して出力する
ことを特徴とした情報処理装置。
【請求項５】
請求項３または請求項４に記載の情報処理装置であって、
前記出力制御手段は、前記配信内容データ判断手段にて配信時間が同時刻である前記伝送状態が異なる階層により伝送される少なくとも２つのコンテンツデータに対応した前記配信内容データが同一内容であると判断されるとともに、前記コンテンツデータに緊急放送である旨の緊急配信データが含まれることを認識した場合、前記伝送状態が異なる少なくとも２つの階層のうち、エラー耐性が高い階層により伝送される前記コンテンツデータを選択して出力する
ことを特徴とした情報処理装置。
【請求項６】
移動体に設けられるとともに、前記移動体の移動状態を検知する移動状態検知手段と、請求項１ないし請求項５のいずれかに記載の情報処理装置と、前記出力装置と、を備えた情報処理システムであって、
前記情報処理装置の前記出力制御手段は、前記移動状態検知手段にて前記移動体が移動していることを検知すると、前記伝送状態が異なる少なくとも２つの階層のうち、エラー耐性が高い階層により伝送される前記コンテンツデータを選択して出力する
ことを特徴とした情報処理システム。
【請求項７】
所定周波数帯域のデジタル波をエラー耐性が異なる少なくとも２つの階層に分割し、これらの階層によりそれぞれ伝送される少なくとも２つのコンテンツデータを備えたデータ構造に構築されて配信される所定周波数の配信データを取得し、
出力するコンテンツデータの階層の設定に関する出力階層データを前記配信データの周波数ごとに設定し、
取得した前記配信データから、前記出力階層データに対応する所定の階層により伝送されるコンテンツデータを抽出して出力装置に出力する
ことを特徴とする情報処理方法。
【請求項８】
演算手段を請求項１ないし請求項５のいずれかに記載の情報処理装置、または請求項６に記載の情報処理システムとして機能させる
ことを特徴とした情報処理プログラム。
【請求項９】
請求項７に記載の情報処理方法を演算手段に実施させる
ことを特徴とした情報処理プログラム。
【請求項１０】
請求項８または請求項９に記載の情報処理プログラムが演算手段にて読取可能に記録された
ことを特徴とした情報処理プログラムを記録した記録媒体。
【発明の詳細な説明】
【技術分野】
【０００１】
本発明は、情報を処理する情報処理装置、情報処理システム、情報処理方法、情報処理プログラム、および情報処理プログラムを記録した記録媒体に関する。
【背景技術】
【０００２】
従来、放送局から発信される地上デジタル放送波は、１つのチャンネルが周波数方向に１３個のセグメントに分割されており、この周波数のうち１２のセグメントを利用した１２セグメント放送（１２セグ放送）と、１のセグメントを利用した１セグメント放送（ワンセグ放送）とがそれぞれ番組コンテンツ情報を構成し、発信されている。そして、これらの１２セグ放送およびワンセグ放送の双方を受信して出力する受信装置が知られている（例えば、特許文献１参照）。
【０００３】
この特許文献１に記載のものは、放送局から放送される地上デジタル放送の放送信号を受信し、この放送信号を分離部にてＴＳパケット単位のＡ階層（ワンセグ放送）のデータとＢ階層（１２セグ放送）のデータとに分離する。
そして、受信状況判断部で放送波の受信状況が良好であるか否かを判断し、受信状況が良好である場合、Ｂ階層映像音声復号部でＢ階層のデータを復号させ、出力端子からＢ階層のデータに基づいた映像信号および音声信号を出力させる。
一方、受信状況が悪い場合、Ｂ階層の直前の画像をホールドした静止画の映像信号を出力させる。そして、Ａ階層音声信号とＢ階層音声信号とが同一であるか否かを判断し、同一である場合、Ａ階層音声信号を出力させ、Ａ階層音声信号とＢ階層音声信号とが異なる場合、音声信号を停止させる構成が採られている。
【０００４】
【特許文献１】特開２００５−２２３５４８号公報（第５頁ないし第７頁参照）
【発明の開示】
【発明が解決しようとする課題】
【０００５】
ところで、上記特許文献１に記載のような従来の構成の受信装置では、受信状況が悪い場合に、Ａ階層の直前の静止画が表示されるため、正確な動画の情報を出力することができないという問題が挙げられる。また、受信状況が悪いとき、Ａ階層音声信号とＢ階層音声信号とを比較して同一か否かを判断するため、判断に要する時間がかかり、その間の情報が出力されないため、正確な情報を出力することができないという問題が挙げられる。
【０００６】
本発明は、上記のような問題に鑑み、良好に情報を出力する情報処理装置、情報処理システム、情報処理方法、情報処理プログラム、および情報処理プログラムを記録した記録媒体を提供することを１つの目的とする。
【課題を解決するための手段】
【０００７】
請求項１に記載の発明は、所定周波数帯域のデジタル波をエラー耐性が異なる少なくとも２つの階層に分割し、これらの階層によりそれぞれ伝送される少なくとも２つのコンテンツデータを備えたデータ構造に構築されて配信される所定周波数の配信データを取得する配信データ取得手段と、出力するコンテンツデータの階層の設定に関する出力階層データを前記配信データの周波数ごとに設定する出力設定手段と、前記配信データ取得手段にて取得した前記配信データから、前記出力設定手段にて設定された前記出力階層データに対応する所定の階層により伝送されるコンテンツデータを抽出して出力装置に出力する出力制御手段と、を具備したことを特徴とした情報処理装置である。
【０００８】
請求項６に記載の発明は、移動体に設けられるとともに、前記移動体の移動状態を検知する移動状態検知手段と、請求項１ないし請求項５のいずれかに記載の情報処理装置と、前記出力装置と、を備えた情報処理システムであって、前記情報処理装置の前記出力制御手段は、前記移動状態検知手段にて前記移動体が移動していることを検知すると、前記伝送状態が異なる少なくとも２つの階層のうち、エラー耐性が高い階層により伝送される前記コンテンツデータを選択して出力することを特徴とした情報処理システムである。
【０００９】
請求項７に記載の発明は、所定周波数帯域のデジタル波をエラー耐性が異なる少なくとも２つの階層に分割し、これらの階層によりそれぞれ伝送される少なくとも２つのコンテンツデータを備えたデータ構造に構築されて配信される所定周波数の配信データを取得し、出力するコンテンツデータの階層の設定に関する出力階層データを前記配信データの周波数ごとに設定し、取得した前記配信データから、前記出力階層データに対応する所定の階層により伝送されるコンテンツデータを抽出して出力装置に出力する情報処理方法である。
【００１０】
請求項８に記載の発明は、演算手段を請求項１ないし請求項５のいずれかに記載の情報処理装置、または請求項６に記載の情報処理システムとして機能させることを特徴とした情報処理プログラムである。
【００１１】
請求項９に記載の発明は、請求項７に記載の情報処理方法を演算手段に実施させることを特徴とした情報処理プログラムである。
【００１２】
請求項１０に記載の発明は、請求項８または請求項９に記載の情報処理プログラムが演算手段にて読取可能に記録されたことを特徴とした情報処理プログラムを記録した記録媒体である。
【発明を実施するための最良の形態】
【００１３】
以下、本発明における一実施の形態を図面に基づいて説明する。図１は、本発明に係る一実施の形態の放送波受信システムの概略を示すブロック図である。図２は、番組案内テーブルの概略を模式的に示す図である。図３は、プリセットテーブルの概略を模式的に示す図である。図４は、受信装置のＣＰＵの概略を示すブロック図である。図５は、プリセット設定画面の一例を示す図である。
【００１４】
図１において、１００は、放送波受信システムであり、この放送波受信システム１００は、放送局から発信される地上波デジタル放送を受信して出力する装置である。この放送波受信システム１００は、例えば車両などの移動体に組み込まれてもよく、携帯電話や携帯型パーソナルコンピュータなど携帯可能な電子機器に組み込まれていてもよく、さらいに、一般家庭などのテレビジョン装置に組み込まれていてもよい。この放送波受信システム１００は、情報処理装置としての受信装置２００と、出力装置３００とを備えている。
【００１５】
出力装置３００は、受信装置２００から入力される映像出力信号、および音声出力信号を出力する装置である。具体的には、この出力装置３００は、映像出力信号に基づいて映像を表示させる図示しない表示手段と、音声出力信号に基づいて音声を発音する図示しないスピーカと、などを備えている。表示手段としては、例えば液晶や有機ＥＬ（Electro Luminescence）パネル、ＰＤＰ（Plasma Display Panel）、ＣＲＴ（Cathode-Ray Tube）などが例示できる。
【００１６】
受信装置２００は、配信データとしての地上波デジタル放送のデジタル放送波を受信して、この地上波デジタル放送のデジタル放送波からコンテンツデータとしてのＴＳパケットを抽出し、出力装置３００に出力する。この受信装置２００は、チューナ２１０と、ＯＦＤＭ復調／伝送路復号部２２０と、分離部２３０と、デコーダ２４０と、出力部２５０と、操作部２６０と、記憶手段２７０と、移動状態検知手段としてのセンサ信号検出部２８０と、ＣＰＵ（Central Processing Unit）２９０と、などを備えている。
【００１７】
チューナ２１０は、外部から入力される各種情報を取得したり、取得している各種情報を外部へ適宜出力したりする。
そして、このチューナ２１０には、例えば地上デジタル放送や衛星デジタル放送などのデジタル放送波を受信するアンテナ２１１が接続されている。
そして、アンテナ２１１からデジタル信号として送信される情報、例えば複数の配信データとしての地上デジタル放送のデジタル放送波のデジタル信号から、利用者により選択されたテレビ放送番組に対応する地上波デジタル放送のデジタル信号を取得してＯＦＤＭ復調／伝送路復号部２２０へ出力する。
また、チューナ２１０は、各放送局から発信されるＥＰＧ（Electronic Program Guide）をＣＰＵ２９０および記憶手段２７０に入力する。
ここで、ＥＰＧデータは、チューナ２１０で取得可能な各放送局から発信される地上デジタル放送のテレビ放送番組などの番組に関する情報が、例えばＢＭＬ（Broadcast Markup Language）やＸＭＬ（eXtensible Markup Language）などのテキスト形式で記載されたデータである。すなわち、ＥＰＧデータは、番組タイトル、放送開始日時、放送終了日時、チャンネル、番組の内容やジャンルなどに関する番組詳細、などの情報が１つのデータ構造として構成されている。
【００１８】
ここで、地上波デジタル放送のデジタル放送波を構成するデジタル信号について説明する。この地上デジタル放送のデジタル放送波は、放送局毎に所定帯域幅（例えば約６ＭＨｚ）を有し、このデジタル放送波は、さらに周波数方向に１３個のセグメントを分割されている。そして、これらの１３個のセグメントを最大３つの階層に分割してそのそれぞれの分割された階層にコンテンツデータとしてのＴＳパケットを変調して伝送させている。この時、各ＴＳパケットは、ＯＦＤＭ（Orthogonal Frequency Division Multiplex：直交周波数分割多重）方式が採用されており、すなわち伝送帯域内に数千本の搬送波を立てて、それぞれの搬送波にデータを割り付ける方式が採られている。ここで、分割された階層に含まれるセグメントが少ない場合、伝送されるＴＳパケットの容量が小さいため、伝送されるＴＳパケットの映像信号および音声信号が低画質、低音質となるが、エラー耐性が高くなる。一方、分割された階層に含まれるセグメントが多い場合、伝送されるＴＳパケットの容量が大きくなるため、伝送されるＴＳパケットの映像信号および音声信号が高画質、高音質となるが、エラー耐性が低くなる。
なお、本実施の形態では、このデジタル信号は、１３個のセグメントのうち、１個のセグメントを利用して配信されるＴＳパケットと、１２個のセグメントを利用して配信されるＴＳパケットとを有するものとして説明する。なお、本実施の形態の説明にあたり、１個のセグメントを利用して配信されるＴＳパケットにより出力される放送番組をワンセグ放送、１２個のセグメントを利用して配信されるＴＳパケットにより出力される放送番組を１２セグ放送と適宜称し、以下説明する。一般に、ワンセグ放送のデジタル信号は、伝送される信号の容量が小さいため、低画質、低音質になりやすいが、エラーに対する耐性がある。一方、１２セグ放送のデジタル信号は、伝送される信号の容量が大きいため、高画質、高音質になるが、エラーに対する耐性が低くなる。
【００１９】
ＯＦＤＭ復調／伝送路復号部２２０は、チューナ２１０から送信されるデジタル信号に対して、例えば高速フーリエ変換演算処理や時間デイタリーブ処理、ビタビ復号処理、などの各種処理を実施することで、ＯＦＤＭ信号復調および伝送路復号を実施する。そして、ＯＦＤＭ復調／伝送路復号部２２０は、復調したデジタル信号を分離部２３０に入力する。
【００２０】
分離部２３０は、ＯＦＤＭ復調／伝送路復号部２２０にて復調されたデジタル信号をセグメント単位で分離し、ワンセグ放送と１２セグ放送とを分離する。具体的には、分離部２３０は、入力されたデジタル信号をＴＳパケット単位で、ワンセグ放送に対応するＴＳパケット（以降ワンセグ対応パケットと称す）と、１２セグ放送に対応するパケット（以降１２セグ対応パケットと称す）に分離する。そして、分離部２３０は、分離した１２セグ対応パケットおよびワンセグ対応パケットをそれぞれデコーダ２４０に入力する。
【００２１】
デコーダ２４０は、１２セグデコーダ２４１と、ワンセグデコーダ２４２とを備えている。
１２セグデコーダ２４１は、分離部２３０から入力される１２セグ対応パケットをデコードする。具体的には、１２セグデコーダ２４１は、図示しない１２セグ対応オーディオデコーダと、図示しない１２セグ対応ビデオデコーダを備えている。そして、１２セグ対応オーディオパケットは、１２セグ対応パケットから所定の音声信号が含まれるパケットのみを選択し、このパケットに対してデコード処理を実施して所定フォーマットの音声出力信号を生成する。また、１２セグ対応ビデオレコーダは、１２セグ対応パケットから所定の映像振動が含まれるパケットのみを選択し、このパケットに対してデコード処理を実施して所定フォーマットの映像出力信号を生成する。
ワンセグデコーダ２４２、分離部２３０から入力されるワンセグ対応パケットをデコードする。具体的には、ワンセグデコーダ２４２は、１２セグデコーダと同様に、図示しないワンセグ対応オーディオデコーダと、図示しないワンセグ対応ビデオデコーダを備えている。そして、ワンセグ対応オーディオパケットは、ワンセグ対応パケットから所定の音声信号が含まれるパケットのみを選択し、このパケットに対してデコード処理を実施して所定フォーマットの音声出力信号を生成する。また、ワンセグ対応ビデオレコーダは、ワンセグ対応パケットから所定の映像振動が含まれるパケットのみを選択し、このパケットに対してデコード処理を実施して所定フォーマットの映像出力信号を生成する。
そして、これらの１２セグデコーダ２４１およびワンセグデコーダ２４２は、それぞれ出力部２５０に接続され、生成された音声出力信号および映像出力信号を出力部２５０に出力する。
【００２２】
出力部２５０は、ＣＰＵ２９０、およびデコーダ２４０に接続されている。この出力部２５０は、出力端子部２５１を備えている。この出力端子部２５１は、例えばオーディオ出力端子や映像出力端子などの端子を備え、これらの端子を介して出力装置３００に接続されている。
また、出力部２５０は、出力切替スイッチ２５２を備えている。そして、出力部２５０は、ＣＰＵ２９０から入力される切替信号に基づいて、出力切替スイッチ２５２を切り替えて、デコーダ２４０の１２セグデコーダ２４１と出力端子部２５１とを接続する状態、およびデコーダ２４０のワンセグデコーダ２４２と出力端子部２５１とを接続する状態に切り替える。
これにより、出力部２５０は、出力切替スイッチ２５２が１２セグデコーダ２４１と出力端子部２５１とを接続する状態に切り替えられている場合、１２セグデコーダ２４１から入力される映像出力信号および音声出力信号を出力装置３００に出力する。また、出力部２５０は、出力切替スイッチ２５２がワンセグデコーダ２４２と出力端子部２５１とを接続する状態に切り替えられている場合、ワンセグデコーダ２４２から入力される映像出力信号および音声出力信号を出力装置３００に出力する。
【００２３】
操作部２６０は、例えば受信装置２００の図示しない外装ケースに設けられ、利用者により入力操作される図示しない各種操作ボタンや操作つまみなどを有している。
これらの操作ボタンや操作つまみなどの入力操作の内容としては、例えば放送波受信システム１００の全体の動作内容、受信装置２００の動作を設定するためなどの設定事項である。具体的には、所定周波数の地上波デジタル放送（チャンネル）のデジタル信号に対して、ワンセグ放送と１２セグ放送とのどちらに対応するＴＳパケットを取得して出力するかを予め設定する旨の出力設定要求情報としてのプリセット設定要求情報などが例示できる。
【００２４】
記憶手段２７０は、チューナ２１０と、ＣＰＵ２９０と、などに接続されている。この記憶手段２７０としては、例えば停電などにより突然電源が落ちた際にも記憶が保存される構成のメモリ、例えばＣＭＯＳ（Complementary Metal-Oxide Semiconductor）メモリなどの半導体メモリ、ＨＤ（Hard Disk）、ＦＤ（Flexible Disk）などの磁気ディスク、ＣＤ（Compact Disc）やＤＶＤ（Digital Versatile Disc）などの光ディスク、光磁気ディスク、メモリカードなどの記録媒体に読み出し可能に記憶するドライブやドライバなどを利用することができる。
そして、記憶手段２７０は、図２に示すような番組案内情報４３０を複数記録される番組案内テーブル４００が記録された番組案内記憶領域や、図３に示すような出力階層データとしてのプリセット情報５１０を複数記録するプリセットテーブル５００が記録されたプリセット記録領域などを備えている。また、記憶手段２７０は、ＣＰＵ２９０における演算処理のための記憶領域などとして利用可能となっている。さらに、記憶手段２７０は、受信装置２００の全体を制御するＯＳ（Operating System）上に展開される各種プログラムなどを記憶している。
【００２５】
番組案内情報記憶領域に記憶される番組案内テーブル４００は、図２に示すように、放送局情報４１０と、セグメント別番組案内情報４２０と、などを備えて１つのデータ構造として構成される配信データ関連情報としての番組案内情報４３０を複数備えたテーブル構造に構成されている。
【００２６】
放送局情報４１０は、各放送局を特定するための放送局特定ＩＤや、放送局から発信されるデジタル放送波の周波数などが記録されている。
セグメント別番組案内情報４２０は、対応セグメント情報４２１と、複数の配信内容データとしての番組詳細情報４２２と、などを備えて１つのデータ構造として構築されている。
対応セグメント情報４２１は、セグメント別番組案内情報４２０がワンセグ放送に関するものであるか、１２セグ放送に関するものであるかを示す情報である。
【００２７】
番組詳細情報４２２は、コンテンツデータの内容に関する情報であり、放送される番組を特定する番組ＩＤ情報、放送される番組のタイトルに関する番組タイトル情報、放送される番組の放送時間、すなわち放送開始時刻および放送終了時刻に関する放送時間情報、放送される番組のジャンルや番組の内容に関する番組記述情報などを備えて１つのデータが構築されている。
【００２８】
プリセットテーブル５００は、図３に示すように、対象放送局情報５１１と、プリセット内容情報５１２と、などを備えて１つのレコードデータが構築されるプリセット情報５１０が複数記録されるテーブル構造に構築されている。
対象放送局情報５１１は、放送局に関する情報であり、例えば番組案内情報４３０における放送局情報４１０に基づいて、放送局を特定するための放送局特定ＩＤや、デジタル放送波の周波数などに関する情報が記録されている。
プリセット内容情報５１２は、対象放送局情報５１１にて特定された放送局に対するプリセットの内容に関する情報であり、例えばワンセグ放送に固定する固定設定としてのワンセグ固定モード、１２セグ放送に固定する固定設定としての１２セグ固定モード、自動的にワンセグ放送と１２セグ放送とを切り替える切替設定としての自動切替モードなどといった情報が記録されている。
【００２９】
センサ信号検出部２８０は、例えば放送波受信システム１００が設けられる車両に取り付けられた各種センサから入力されるセンサ信号を検出する。例えば車両には、車両の進行方向を検出するジャイロセンサ、車両の加速度を検出する加速度センサ、車両の位置を検出するＧＰＳ（Global Positioning Systems）などの車両位置センサ、車両の速度を検出する車速パルスなどが設けられ、センサ信号検出部２８０はこれらのセンサから入力される信号を検出する。そして、センサ信号検出部２８０は、検出されたセンサ信号をＣＰＵ２９０に出力する。
【００３０】
ＣＰＵ２９０は、各種構成が接続され、各構成の動作を制御する。このＣＰＵ２９０は、例えば図４に示すように、各種プログラムとして、番組案内情報生成手段２９１と、出力設定手段および要求情報認識手段としても機能するプリセット設定手段２９２と、配信データ関連情報取得手段および配信内容データ判断手段としても機能する出力制御手段２９３と、計時手段２９４と、などを備えている。
【００３１】
番組案内情報生成手段２９１は、各放送局から発信されてチューナ２１０にて受信されるＥＰＧを認識する。そして、認識したＥＰＧに基づいて、番組案内情報４３０を生成し、番組案内テーブル４００に適宜読み出し可能に記録する。
【００３２】
プリセット設定手段２９２は、プリセット情報５１０を生成し、生成したプリセット情報５１０をプリセットテーブル５００に適宜読み出し可能に記憶する。
具体的には、プリセット設定手段２９２は、操作部２６０から入力設定される各種設定情報を認識し、この各種設定情報からプリセットを設定する旨のプリセット設定要求情報を認識する。そして、プリセット設定手段２９２は、プリセット設定要求情報に基づいて、プリセット情報５１０を生成する。
例えば、プリセット設定手段２９２は、放送局Ａに対して自動切替モードを設定する旨のプリセット設定要求情報を認識した場合、対象放送局情報５１１に放送局Ａの周波数や放送局Ａを特定するＩＤ情報を記録し、プリセット内容情報５１２に自動切替設定モードである旨の情報を記録したプリセット情報５１０を生成する。
また、放送局Ｂに対して例えばワンセグ放送のみを出力する旨のプリセット設定要求情報を認識した場合、対象放送局情報５１１に放送局Ｂの周波数や放送局Ｂを特定するＩＤ情報を記録し、プリセット内容情報５１２にワンセグ固定モードである旨の情報を記録したプリセット情報５１０を生成する。
さらに、放送局Ｃに対して例えば１２セグ放送のみを出力する旨のプリセット設定要求情報を認識した場合、対象放送局情報５１１に放送局Ｃの周波数や放送局Ｃを特定するＩＤ情報を記録し、プリセット内容情報５１２に１２セグ固定モードである旨の情報を記録したプリセット情報５１０を生成する。そして、上記のように生成したプリセット情報５１０を適宜読み出し可能に記憶手段２７０のプリセット記憶領域に記録されたプリセットテーブル５００に記録する。
【００３３】
出力制御手段２９３は、操作部２６０の入力操作により、例えばプリセット情報５１０を設定する旨の入力設定を認識すると、図５に示すようなプリセット設定画面６００を出力部２５０から出力させる制御をする。
【００３４】
ここで、プリセット設定画面６００には、図５に示すように、例えば左右それぞれにプリセット表示枠６１０が縦方向に並列されて表示される。
【００３５】
このプリセット表示枠６１０の内部の左方には、プリセット番号表示領域６１１が設けられる。このプリセット番号表示領域６１１には、各プリセットの設定を見やすくするための番号が表示される。
また、このプリセット番号表示領域６１１の右側には、放送局表示領域６１２が設けられる。この放送局表示領域６１２には、プリセット情報５１０の対象放送局情報５１１に基づいて、各放送局の名称や放送局の周波数、チャンネル番号などが表示される。
さらに、放送局表示領域６１２の右側には、プリセット設定表示領域６１３が設けられる。このプリセット設定表示領域６１３は、プリセット情報５１０のプリセット内容情報５１２に基づいて、例えばプリセット内容情報５１２が、自動切替設定モードである旨の「自動」、ワンセグ固定モードである旨の「ワン固定」、１２セグ固定モードである旨の「１２固定」などといったプリセットの設定内容が記録される。
また、プリセット設定画面６００には、プリセット表示枠６１０のうちいずれか１つを囲う状態に、プリセット情報を選択する旨のカーソル６２０が表示される。
【００３６】
また、出力制御手段２９３は、プリセット設定手段２９２にて設定されたプリセット情報５１０に基づいて、出力部２５０から出力装置３００に出力させる出力信号を切り替える制御をする。
具体的には、出力制御手段２９３は、例えばプリセット情報５１０のプリセット内容情報５１２にワンセグ固定モードである旨が記録されている場合、このプリセット情報５１０の対象放送局情報５１１に記録された放送局のデジタル放送波に対して、ワンセグデコーダ２４２にてデコードされたワンセグ対応パケットの音声出力信号および映像出力信号のみを出力させる制御をする。すなわち、出力制御手段２９３は、出力部２５０の出力切替スイッチ２５２を制御して、ワンセグデコーダ２４２と出力端子部２５１とを接続する状態にこの出力切替スイッチ２５２を切り替える制御をする。
一方、出力制御手段２９３は、例えばプリセット情報５１０のプリセット内容情報５１２に１２セグ固定モードである旨が記録されている場合、このプリセット情報５１０の対象放送局情報５１１に記録された放送局のデジタル放送波に対して、１２セグデコーダ２４１にてデコードされた１２セグ対応パケットの音声出力信号および映像出力信号のみを出力させる制御をする。すなわち、出力制御手段２９３は、出力部２５０の出力切替スイッチ２５２を制御して、１２セグデコーダ２４１と出力端子部２５１とを接続する状態にこの出力切替スイッチ２５２を切り替える制御をする。
【００３７】
また、出力制御手段２９３は、例えばプリセット情報５１０のプリセット内容情報５１２に自動切替設定モードである旨が記録されている場合、このプリセット情報５１０の対象放送局情報５１１に記録された放送局のデジタル放送波に対して、ワンセグ放送および１２セグ放送のうちいずれか一方に含まれる音声出力信号および映像出力信号を出力させる制御をする。
【００３８】
これには、出力制御手段２９３は、対象放送局情報５１１に記録された放送局に対応する放送局情報４１０を有する番組案内情報４３０を読み込み、この番組案内情報４３０に記録されたセグメント別番組案内情報４２０を認識する。
この後、後述する計時手段２９４にて示される現在時刻を認識し、この現在時刻を放送時間内に含む放送時間情報を有する番組詳細情報４２２を認識する。そして、それぞれのセグメント別番組案内情報４２０における番組詳細情報４２２を比較して、これらの番組詳細情報４２２が同一であるか否かを判断する。これには、出力制御手段２９３は、例えば各セグメント別番組案内情報４２０における番組詳細情報４２２に記録された、番組ＩＤ情報、番組タイトル情報、放送時間情報などを比較する。そして、これらの番組ＩＤ情報、番組タイトル情報、放送時間情報などが同一である場合、同一の番組詳細情報４２２であると判断する。
そして、出力制御手段２９３は、これらの番組詳細情報４２２が同一である場合、ワンセグ放送および１２セグ放送のうち受信状態が良好である一方側の音声出力信号および映像出力信号を出力部２５０から出力させる制御をする。すなわち、出力制御手段２９３は、デコーダ２４０にてデコードするワンセグ対応パケットおよび１２セグ対応パケットに含まれる、例えばノイズなどのエラー信号の数を認識する。そして、エラー信号の数が少ない一方のパケットの音声出力信号および映像出力信号を出力部２５０から出力させる制御をする。
【００３９】
一方、出力制御手段２９３は、認識したセグメント別番組案内情報４２０の現在時刻における番組詳細情報４２２が異なると判断した場合、対応セグメント情報４２１が１２セグ放送であるセグメント別番組案内情報４２０に、現在時刻を放送時間内に含む放送時間情報を有する番組詳細情報４２２があるか否かを判断する。
そして、１２セグ放送に対応する現在時刻を放送時間内に含む放送時間情報を有する番組詳細情報４２２がある場合、出力制御手段２９３は、１２セグ放送の音声出力信号および映像出力信号を出力部２５０から出力させる制御をする。すなわち、出力制御手段２９３は、出力部２５０の出力切替スイッチ２５２を制御して、１２セグデコーダ２４１と出力端子部２５１とを接続する状態にこの出力切替スイッチ２５２を切り替える制御をする。
また、出力制御手段２９３は、対応セグメント情報４２１が１２セグ放送であるセグメント別番組案内情報４２０に、現在時刻を放送時間内に含む放送時間情報を有する番組詳細情報４２２がないと判断した場合、対応セグメント情報４２１がワンセグ放送であるセグメント別番組案内情報４２０を認識する。そして、このセグメント別番組案内情報４２０に、現在時刻を放送時間内に含む放送時間情報を有する番組詳細情報４２２がある場合、ワンセグ放送の音声出力信号および映像出力信号を出力部２５０から出力させる制御をする。すなわち、出力制御手段２９３は、出力部２５０の出力切替スイッチ２５２を制御して、ワンセグデコーダ２４２と出力端子部２５１とを接続する状態にこの出力切替スイッチ２５２を切り替える制御をする。
【００４０】
さらに、出力制御手段２９３は、受信したデジタル放送波のＴＳパケットの一部、例えば各パケットのヘッダなどに緊急放送である旨の情報が記録されている場合、エラーに対する耐性が高いワンセグ放送の音声出力信号および映像出力信号を出力部２５０から出力させる制御をする。すなわち、出力制御手段２９３は、出力部２５０の出力切替スイッチ２５２を制御して、ワンセグデコーダ２４２と出力端子部２５１とを接続する状態にこの出力切替スイッチ２５２を切り替える制御をする。
【００４１】
計時手段２９４は、例えば内部クロックなどの基準パルスに基づいて現在時刻を計時する。そして、この計時した現在時刻に関する現在時刻情報を適宜出力する。
【００４２】
〔放送波受信システムの動作〕
次に、上記放送波受信システム１００の動作について、図面に基づいて説明する。
【００４３】
（プリセット設定処理）
上記放送波受信システム１００の動作におけるプリセット情報設定処理について図６に基づいて説明する。図６は、プリセット情報設定処理のフローチャートである。
【００４４】
図６において、放送波受信システム１００の受信装置２００および出力装置３００の電源がＯＮ状態にされると、受信装置２００および出力装置３００の各部に電力が供給されて放送波受信システム１００が起動する。
【００４５】
そして、受信装置２００のＣＰＵ２９０は、例えば利用者による操作部２６０の操作により、プリセット情報を設定する旨の設定要求情報を認識すると(ステップＳ１０１)、図５に示すようなプリセット設定画面６００を出力装置３００の表示手段に表示させる制御をする。すなわち、ＣＰＵ２９０の出力制御手段２９３は、出力部２５０から出力装置３００に、プリセット設定画面６００を表示させる映像出力信号を出力する（ステップＳ１０２）。
【００４６】
そして、ＣＰＵ２９０のプリセット設定手段２９２は、利用者の操作部の入力設定によりプリセット設定要求情報を認識すると（ステップＳ１０３）、このプリセット設定要求情報に基づいてプリセット情報５１０を生成する（ステップＳ１０４）。例えば、図５のようなプリセット設定画面６００において、操作部２６０の入力操作によりカーソル６２０が移動され、このカーソル６２０により所定のプリセット表示枠６１０を選択する旨の操作情報が入力されると、ＣＰＵ２９０のプリセット設定手段２９２は、このプリセット表示枠６１０に対応するプリセット情報５１０をプリセットテーブル５００から取得する。そして、例えば利用者の操作部２６０の入力操作により、選択されたプリセット表示枠６１０のプリセット設定表示領域６１３に表示された設定内容を変更する旨のプリセット設定要求情報を認識すると、前記認識したプリセット情報５１０のプリセット内容情報５１２を変更、もしくは生成する処理をする。また、プリセット設定手段２９２は、生成したプリセット情報５１０をプリセットテーブル５００に適宜読み出し可能に記録する。
【００４７】
この後、ＣＰＵ２９０は、例えば利用者の操作部２６０の入力操作により、プリセット設定処理を終了する旨の要求情報を認識すると、処理を終了させる。また、引き続いてプリセット情報５１０を設定する旨の要求情報を認識すると、ステップＳ１０２に戻り、プリセット設定画面６００を表示させる処理をする（ステップＳ１０５）。
【００４８】
（受信装置の受信出力処理）
次に、放送波受信システム１００の受信装置の受信出力処理について図７および図８に基づいて説明する。図７は、受信装置の受信出力処理のフローチャートである。図８は、受信装置の受信出力処理における自動切替受信処理のフローチャートである。
【００４９】
図７において、放送波受信システム１００の受信装置２００は、アンテナ２１１にて地上波デジタル放送のデジタル放送波を受信すると（ステップＳ２０１）、受信したデジタル放送波のデジタル信号をＯＦＤＭ復調／伝送路復号部２２０に入力する。そして、このＯＦＤＭ復調／伝送路復号部２２０にて、受信したデジタル信号にＯＦＤＭ復調処理および伝送路復号処理を実施する。この後、ＯＦＤＭ復調および伝送路復号されたデジタル信号は分離部２３０に入力され、この分離部２３０にて、ワンセグ対応パケットと１２セグ対応パケットとに分離される。
【００５０】
この後、分離された１２セグ対応パケットは、１２セグデコーダ２４１に入力されてデコードされ、音声出力信号および映像出力信号が生成される。また、分離されたワンセグ対応パケットは、ワンセグデコーダ２４２に入力されてデコードされ、音声出力信号および映像出力信号が生成される。
【００５１】
また、受信装置２００のＣＰＵ２９０は、プリセットテーブル５００からプリセット情報５１０を読み込む（ステップＳ２０２）。具体的には、ＣＰＵ２９０は、受信したデジタル放送波の周波数を認識し、この周波数が記録された対象放送局情報５１１を有するプリセット情報５１０を読み込む。
【００５２】
そして、受信装置２００の出力制御手段２９３は、読み込んだプリセット情報５１０のプリセット内容情報５１２を認識し、１２セグ固定モードである旨が記録されているかを判断する（ステップＳ２０３）。ここで、プリセット内容情報５１２に１２セグ固定モードである旨が記録されている場合、出力制御手段２９３は、出力部２５０の出力切替スイッチ２５２を制御して、１２セグデコーダ２４１と出力端子部２５１とを接続する状態に切り替える。これにより、出力部２５０から１２セグデコーダ２４１にてデコードされた音声出力信号および映像出力信号が出力装置３００に出力され、１２セグ放送が出力装置３００から出力される（ステップＳ２０４）。
【００５３】
一方、ステップＳ２０３において、出力制御手段２９３は、プリセット内容情報５１２に１２セグ固定モードである旨が記録されていない場合、プリセット内容情報５１２にワンセグ固定モードである旨が記録されているか否かを判断する（ステップＳ２０５）。ここで、プリセット内容情報５１２にワンセグ固定モードである旨が記録されている場合、出力制御手段２９３は、出力部２５０の出力切替スイッチ２５２を制御して、ワンセグデコーダ２４２と出力端子部２５１とを接続する状態に切り替える。これにより、出力部２５０から出力装置３００にワンセグデコーダ２４２にてデコードされた音声出力信号および映像出力信号が出力され、ワンセグ放送が出力装置３００から出力される（ステップＳ２０６）。
【００５４】
一方、ステップＳ２０５において、出力制御手段２９３は、プリセット内容情報５１２にワンセグ固定モードである旨が記録されていない場合、プリセット内容情報５１２に自動切替モードである旨が記録されているか否かを判断する（ステップＳ２０７）。ここで、プリセット内容情報５１２に自動切替モードである旨が記録されている場合、出力制御手段２９３は、後述の自動切替受信処理を実施する（ステップＳ２０８）。
【００５５】
また、ステップＳ２０７において、出力制御手段２９３は、プリセット内容情報５１２に自動切替モードである旨が記録されていない場合、すなわち、プリセット内容情報５１２が空白である場合や受信したデジタル放送波に対するプリセット情報５１０がない場合、ステップＳ２０４の処理を実施し、１２セグ放送を出力する処理をする。
【００５６】
この後、ＣＰＵ２９０は、例えば利用者による操作部２６０の入力操作などにより、受信するデジタル放送波の周波数を変更する旨の入力設定がなされたか否かを判断する（ステップＳ２０９）。このステップＳ２０９において、ＣＰＵ２９０は、例えば利用者による操作部２６０の入力操作などにより、受信するデジタル放送波を変更する旨の入力設定を認識すると、変更された周波数のデジタル放送波を受信し、ステップＳ２０２の処理に戻る。また、ステップＳ２０９において、ＣＰＵ２９０は、例えば利用者による操作部２６０の入力設定を認識できない場合、現在のデジタル放送波を引き続き受信する。
【００５７】
この後、ＣＰＵ２９０は、例えば利用者による操作部２６０の入力設定などにより、例えば電源がＯＦＦ状態にされるなどして、デジタル放送波の受信処理を終了する旨の設定入力が実施されたか否かを判断する（ステップＳ２１０）。そして、ＣＰＵ２９０は、デジタル放送波の受信処理を終了する旨を認識した場合、例えば各構成への電力供給を停止し、一連の処理を終了させる。一方、ＣＰＵ２９０は、デジタル放送波の受信処理を終了する旨の設定入力がない場合、ステップＳ２０９に戻り、現在受信しているデジタル放送波を引き続き受信する。
【００５８】
次に、上記ステップＳ２０８の受信処理における自動切替受信処理について説明する。
上記ステップＳ２０７において、ＣＰＵ２９０は、プリセット内容情報５１２に自動切替モードである旨が記録されていると判断した場合、図８に示すような自動切替受信処理を実施する。
【００５９】
この図８において、自動切替受信処理では、まず、ＣＰＵ２９０の出力制御手段２９３は、番組案内テーブル４００に記録された番組案内情報４３０を認識する。この時、現在受信しているデジタル放送波の周波数に関する情報が放送局情報４１０に記録された番組案内情報４３０を認識する（ステップＳ３０１）。
【００６０】
次に、ＣＰＵ２９０の出力制御手段２９３は、計時手段２９４にて出力される現在時刻情報に基づいて、現在時刻を認識する（ステップＳ３０２）。
【００６１】
この後、出力制御手段２９３は、ステップＳ３０１にて認識した番組案内情報４３０に含まれるセグメント別番組案内情報４２０を認識する。この時、対応セグメント情報４２１がワンセグ放送であるセグメント別番組案内情報４２０と、対応セグメント情報４２１が１２セグ放送であるセグメント別番組案内情報４２０との双方を認識する。
そして、これらのセグメント別番組案内情報４２０から、ステップＳ３０２にて認識した現在時刻を含む放送時間情報を有する番組詳細情報４２２をそれぞれ認識する。
【００６２】
この後、ＣＰＵ２９０の出力制御手段２９３は、これらの認識した番組詳細情報４２２が同一番組であるか否かを判断する。これには、出力制御手段２９３は、番組詳細情報４２２の番組ＩＤ情報、番組タイトル情報、放送時間情報などを比較し、同一であるか否かを判断する（ステップＳ３０３）。
【００６３】
このステップＳ３０３において、ＣＰＵ２９０の出力制御手段２９３は、番組詳細情報４２２が同一であると判断した場合、自動切替モードで音声出力信号および映像出力信号を出力する（ステップＳ３０４）。すなわち、出力制御手段２９３は、受信されたワンセグ対応パケット、および１２セグ対応パケットにおけるノイズなどのエラー信号の数を認識する。そして、例えば、これらのエラー信号の所定時間当たりの総数が少ないワンセグ対応パケットおよび１２セグ対応パケットのいずれか一方を認識し、出力部２５０から出力させる制御をする。また、出力制御手段２９３は、放送波受信中に、エラー信号の数が変化して、現在出力部２５０から出力しているパケットよりも他方のパケットのエラー信号が少なくなると、出力切替スイッチ２５２を切り替えて、他方のパケットの音声出力信号および映像出力信号を出力させる制御をする。
【００６４】
一方、ステップＳ３０３にて、出力制御手段２９３は、番組詳細情報４２２が同一番組でないと認識した場合、１２セグ放送を出力可能か否かを判断する（ステップＳ３０５）。これには、出力制御手段２９３は、対応セグメント情報４２１が１２セグ放送であるセグメント別番組案内情報４２０を認識し、現在時刻を放送時間内に含む放送時間情報を有する番組詳細情報４２２があるか否かを判断する。
そして、出力制御手段２９３は、このステップＳ３０５において、１２セグ放送が出力可能であると判断すると、出力部２５０の出力切替スイッチ２５２を制御して、１２セグデコーダ２４１と出力端子部２５１とを接続する状態に切り替える。これにより、出力部２５０から１２セグデコーダ２４１にてデコードされた音声出力信号および映像出力信号が出力装置３００に出力され、１２セグ放送が出力装置３００から出力される（ステップＳ３０６）。
【００６５】
一方、ステップＳ３０５において、出力制御手段２９３は、１２セグ放送を出力不可能と判断した場合、すなわち、対応セグメント情報４２１が１２セグ放送であるセグメント別番組案内情報４２０に、現在時刻を放送時間内に含む放送時間情報を有する番組詳細情報４２２がないと判断した場合、ワンセグ放送を出力可能か否かを判断する（ステップＳ３０７）。これには、出力制御手段２９３は、対応セグメント情報４２１がワンセグ放送であるセグメント別番組案内情報４２０を認識し、現在時刻を放送時間内に含む放送時間情報を有する番組詳細情報４２２があるか否かを判断する。
【００６６】
そして、出力制御手段２９３は、このステップＳ３０７において、ワンセグ放送を出力可能であると判断すると、出力部２５０の出力切替スイッチ２５２を制御して、ワンセグデコーダ２４２と出力端子部２５１とを接続する状態に切り替える。これにより、出力部２５０からワンセグデコーダ２４２にてデコードされた音声出力信号および映像出力信号が出力装置３００に出力され、ワンセグ放送が出力装置３００から出力される（ステップＳ３０８）。
【００６７】
一方、ステップＳ３０７において、出力制御手段２９３は、ワンセグ放送を出力不可能と判断した場合、ステップＳ３０４の処理を実施し、自動切替モードで所定のパケットの音声出力信号および映像出力信号を出力させる制御をする。
【００６８】
（緊急放送受信時の受信処理）
次に、デコーダ２４０にてデコードされたデジタル信号に、緊急放送である旨のデータ信号が含まれていた場合の緊急放送受信時の受信処理について、図９に基づいて説明する。図９は、緊急放送のデジタル放送波を受信した場合における受信装置の受信出力処理のフローチャートである。
【００６９】
図９において、受信装置２００は、上記ステップＳ２０１と同様に、アンテナ２１１にて地上波デジタル放送のデジタル放送波を受信すると、受信したデジタル放送波のデジタル信号をＯＦＤＭ復調／伝送路復号部２２０に入力する。そして、このＯＦＤＭ復調／伝送路復号部２２０にて、受信したデジタル信号にＯＦＤＭ復調処理および伝送路復号処理を実施する。この後、ＯＦＤＭ復調および伝送路復号されたデジタル信号は分離部２３０に入力され、この分離部２３０にて、ワンセグ対応パケットと１２セグ対応パケットとに分離される。
【００７０】
この後、分離された１２セグ対応パケットは、１２セグデコーダ２４１に入力されてデコードされ、音声出力信号および映像出力信号が生成される。また、分離されたワンセグ対応パケットは、ワンセグデコーダ２４２に入力されてデコードされ、音声出力信号および映像出力信号が生成される。
【００７１】
また、この時、ＣＰＵ２９０は、デコーダ２４０にてデコードされた各種出力信号を認識し、これらの出力信号に緊急放送である旨のデータ信号が含まれているか否かを判断する（ステップＳ４０１）。
【００７２】
このステップＳ４０１にて緊急放送である旨のデータ信号が含まれていないと判断すると、ＣＰＵ２９０は、上記のような受信装置の受信出力処理を実施する（ステップＳ４０２）。すなわち、ステップＳ２０２ないしステップＳ２１０の処理を実施して、受信したデジタル放送波に基づいた出力信号を出力装置３００に出力する処理をする。
【００７３】
一方、ステップＳ４０１において、緊急放送である旨のデータ信号が含まれていると判断すると、ＣＰＵ２９０の出力制御手段２９３は、出力部２５０の出力切替スイッチ２５２を制御して、ワンセグデコーダ２４２と出力端子部２５１とを接続する状態に切り替える。これにより、出力部２５０からワンセグデコーダ２４２にてデコードされた音声出力信号および映像出力信号が出力装置３００に出力され、ワンセグ放送が出力装置３００から出力される(ステップＳ４０４)。
【００７４】
〔放送波受信システムの作用効果〕
上述したように、上記放送波受信システム１００の受信装置２００は、チューナ２１０にてワンセグ放送に対応するワンセグ対応パケットおよび１２セグ放送に対応する１２セグ対応パケットを有するとともに各放送局から配信されるデジタル放送波を取得させる。そして、ＣＰＵ２９０のプリセット設定手段２９２は、例えば利用者の操作部２６０の入力操作により設定入力されるプリセット設定要求情報に基づいて、各放送局に対して、どのパケットをデコードした出力信号を出力するか、すなわち、ワンセグ固定モードで出力信号を出力するのか、１２セグ固定モードで出力信号を出力するのか、自動切替モードで出力信号を出力するのかを設定するプリセット情報を生成する。そして、出力制御手段２９３は、このプリセット情報に基づいて、出力部２５０の出力切替スイッチ２５２を制御し、１２セグデコーダ２４１と出力端子部２５１とを接続する状態と、ワンセグデコーダ２４２と出力端子部２５１とを接続する状態とを切り替えている。
このため、例えばプリセット情報５１０のプリセット内容情報５１２がワンセグ固定モードおよび１２セグ固定モードのうちいずれか一方であった場合、出力制御手段２９３は、プリセット内容情報５１２にて設定されたワンセグ固定モードおよび１２セグ固定モードのうちいずれか一方に対応したパケットをデコードした音声出力信号および映像出力信号を出力することができる。つまり、出力制御手段２９３は、プリセット内容情報５１２がワンセグ固定モードであった場合には、ワンセグ対応パケットの音声出力信号および映像出力信号のみを出力することができ、プリセット内容情報５１２が１２セグ固定モードであった場合には、１２セグ対応パケットの音声出力信号および映像出力信号のみを出力することができる。したがって、例えば放送局から配信されるデジタル放送波のワンセグ対応パケットおよび１２セグ対応パケットの内容が異なる場合でも、ワンセグ対応パケットおよび１２セグ対応パケットのうちいずれか一方の出力信号を出力できるので、例えば番組の放送途中で他方のパケットの出力信号に出力が切り替わるなどして、番組が途切れてしまうなどの不都合がなく、良好に番組を出力することができる。
【００７５】
また、受信装置２００は、例えば利用者の操作部２６０の入力操作によりプリセット設定要求情報を認識し、ＣＰＵ２９０のプリセット設定手段２９２は、このプリセット設定要求情報に基づいて、プリセット情報５１０を設定する。このため、利用者が所望するプリセット情報５１０を設定することができ、利用者の所望の設定のパケットを出力することができる。
【００７６】
また、受信装置２００では、チューナ２１０にてＥＰＧを取得し、ＣＰＵ２９０の番組案内情報生成手段２９１にて、ＥＰＧに基づいた番組案内情報４３０を生成する。そして、プリセット情報５１０のプリセット内容情報５１２が自動切替モードである場合、ＣＰＵ２９０の出力制御手段２９３は、この番組案内情報４３０を参照し、番組案内情報４３０の各セグメント別番組案内情報４２０における、現在時刻における番組詳細情報４２２を比較してその同一性を判断する。そして、出力制御手段２９３は、この番組詳細情報４２２が同一であると判断すると、ワンセグ対応パケットおよび１２セグ対応パケットのうち、例えばノイズなどのエラー信号が少ないいずれか一方の出力信号を出力部２５０から出力させる制御をしている。
このため、出力制御手段２９３は、ＥＰＧに基づいて予め生成される番組案内情報４３０に基づいて、ワンセグ放送と１２セグ放送とが同一であるか否かを判断するため、例えば受信したデジタル放送波のワンセグ対応パケットおよび１２セグ対応パケットの同一性を比較する場合に比べて処理が簡単になり、両者の同一性も即座に判断することができる。すなわち、受信したデジタル放送波のワンセグ対応パケットおよび１２セグ対応パケットの同一性を比較する場合、一定時間ワンセグ対応パケットおよび１２セグ対応パケットを受信し、これらのパケットをデコードして出力信号を生成した後、これらの出力信号の信号波形などを比較する必要がある。これに対して、本実施の形態の受信装置２００は、予めＥＰＧに基づいて番組案内情報４３０を作成するため、デジタル放送波を受信する前にワンセグ対応パケットおよび１２セグ対応パケットが同一であるか否かを判断することができる。したがって、出力制御手段２９３による出力信号の出力処理を簡単かつ迅速に実施することができる。
また、出力制御手段２９３は、ワンセグ対応パケットおよび１２セグ対応パケットのうち、例えばノイズなどのエラー信号が少ないいずれか一方を出力部２５０から出力させるため、出力装置３００から映像の乱れやノイズなどが少ない良好な映像、音声を出力することができる。
【００７７】
さらに、ＣＰＵ２９０の出力制御手段２９３は、プリセット情報５１０のプリセット内容情報５１２が自動切替モードであり、番組案内情報４３０の各セグメント別番組案内情報４２０における、現在時刻における番組詳細情報４２２が異なると判断すると、１２セグ対応パケットの出力信号を出力部２５０から出力させる制御をしている。このため、出力制御手段２９３は、ワンセグ放送と１２セグ放送とが異なる場合、１２セグ対応パケットの出力信号のみを出力させることで、番組放送中に１２セグ放送とワンセグ放送とが切り替わって、番組が中断されてしまう不都合を防止することができる。また、１２セグ放送に対応する１２セグ対応パケットをデコードした出力信号を出力するため、高画質、高音質な映像および音声を出力装置３００から出力することができる。
【００７８】
そして、受信装置２００では、ＣＰＵ２９０の出力制御手段２９３は、番組案内情報４３０の各セグメント別番組案内情報４２０における、現在時刻における番組詳細情報４２２が同一であると判断し、さらに、受信したパケットに緊急放送である旨の情報が記録されている場合、ワンセグ放送を固定して出力部２５０から出力装置３００に出力させる制御をする。このため、エラー耐性があるワンセグ放送を放送することにより、緊急放送の聞き逃しなどを防止することができ、確実に利用者に情報を伝達させることができる。
【００７９】
また、出力制御手段２９３は、例えば利用者の操作部２６０の入力操作により設定要求情報を認識すると、プリセット設定画面６００を出力させる制御をする。このため、プリセット設定画面６００を見ながら操作部２６０を操作することで容易にプリセット設定要求情報を入力設定することができ、また、プリセット設定画面６００により現在設定されているプリセット情報５１０を容易に確認することができる。
【００８０】
〔他の実施の形態〕
なお、本発明は、上述した一実施の形態に限定されるものではなく、本発明の目的を達成できる範囲で以下に示される変形をも含むものである。
【００８１】
例えば、受信装置２００と出力装置３００とが別体として設けられる構成を示したが、例えば受信装置２００と出力装置３００とが１つの装置に組み込まれて構成されているものであってもよい。また、受信装置２００が、例えばビデオ機器やテレビジョン装置、カーナビゲーション装置、携帯電話などの他の電子機器に組み込まれた構成としてもよい。
【００８２】
また、上記実施の形態のように、放送波受信システム１００が移動体に設けられ、プリセット情報５１０のプリセット内容情報５１２が自動切替モードに設定されている場合、
センサ検出部２８０にて移動体に設けられたジャイロセンサ、加速度センサ、ＧＰＳなどのセンサ部から入力されるセンサ信号を認識する。そして、出力制御手段２９３は、これらのセンサ信号に基づいて、出力を切り替える構成としてもよい。例えば、センサ検出部２８０にて移動体が移動した旨のセンサ信号が認識されると、出力制御手段２９３は、ワンセグ対応パケットをデコードし、ワンセグ放送の出力信号を出力部２５０から出力させる制御をする。このようにすることで、移動体が移動している場合でも、ノイズなどのエラー信号が少ないワンセグ対応パケットの出力信号を出力することで、良好な映像や音声を出力することができる。
【００８３】
また、ステップＳ３０４において、出力制御手段２９３は、ワンセグ対応パケットおよび１２セグ対応パケットのうち、例えばノイズなどのエラー信号が少ないいずれか一方の出力信号を出力部２５０から出力させる制御をするとしたが、例えばワンセグ対応パケットおよび１２セグ対応パケットのエラー信号が略同程度の場合、高画質、高音質である１２セグ対応パケットの出力信号を優先して出力させる構成としてもよい。
【００８４】
さらに、ステップＳ３０３において、ワンセグ放送に対応する番組詳細情報４２２と１２セグ放送に対応する番組詳細情報４２２が異なると判断すると、ステップＳ３０５の処理を実施し、出力制御手段２９３は、１２セグ対応パケットの出力信号を優先して出力させる制御をしたが、これに限らない。例えば、出力制御手段２９３は、ワンセグ放送に対応する番組詳細情報４２２と１２セグ放送に対応する番組詳細情報４２２が異なると判断すると、ワンセグ放送に対応する番組詳細情報４２２があるか否かを判断し、ワンセグ放送に対応する番組詳細情報４２２があると判断した場合にワンセグ対応パケットをデコードした出力信号を出力部２５０から出力装置３００に出力させる構成としてもよい。
【００８５】
さらには、ステップＳ３０３において、ワンセグ放送に対応する番組詳細情報４２２と１２セグ放送に対応する番組詳細情報４２２が同一であると判断すると、出力制御手段２９３は、番組詳細情報４２２に基づいて、番組の内容情報、例えば番組のジャンルなどを認識し、番組の内容情報に基づいて出力するパケットを選択する構成としてもよい。例えば、番組詳細情報４２２の番組のジャンルに関するジャンル情報に、「ニュース」「クイズ」などといった情報が記録されている場合、ワンセグ対応パケットをデコードした出力信号を出力する。このように、エラー耐性のあるワンセグ対応パケットの出力信号を出力することで、例えば音声の聞き逃しなどを防止することができる。一方、番組詳細情報４２２の番組のジャンルに関するジャンル情報に、「映画」「音楽」などといった情報が記録されている場合、１２セグ対応パケットをデコードした出力信号を出力する。このように、高音質、高画質のある１２セグ対応パケットの出力信号を出力すること、例えば良好な音声および映像を出力することができる。
【００８６】
上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。
【００８７】
その他、本発明の実施の際の具体的な構造および手順は、本発明の目的を達成できる範囲で他の構造などに適宜変更できる。
【００８８】
〔実施の形態の効果〕
上述したように、上記放送波受信システム１００の受信装置２００は、チューナ２１０にてワンセグ放送に対応するワンセグ対応パケットおよび１２セグ放送に対応する１２セグ対応パケットを有するとともに各放送局から配信されるデジタル放送波を取得させる。そして、ＣＰＵ２９０のプリセット設定手段２９２は、例えば利用者の操作部２６０の入力操作により設定入力されるプリセット設定要求情報に基づいて、各放送局に対して、どのパケットをデコードした出力信号を出力するか、すなわち、ワンセグ固定モードで出力信号を出力するのか、１２セグ固定モードで出力信号を出力するのか、自動切替モードで出力信号を出力するのかを設定するプリセット情報を生成する。そして、出力制御手段２９３は、このプリセット情報に基づいて、出力部２５０の出力切替スイッチ２５２を制御し、１２セグデコーダ２４１と出力端子部２５１とを接続する状態と、ワンセグデコーダ２４２と出力端子部２５１とを接続する状態とを切り替えている。
このため、例えばプリセット情報５１０のプリセット内容情報５１２がワンセグ固定モードおよび１２セグ固定モードのうちいずれか一方であった場合、出力制御手段２９３は、プリセット内容情報５１２にて設定されたワンセグ固定モードおよび１２セグ固定モードのうちいずれか一方に対応したパケットをデコードした音声出力信号および映像出力信号を出力することができる。したがって、例えば放送局から配信されるデジタル放送波のワンセグ対応パケットおよび１２セグ対応パケットの内容が異なる場合でも、ワンセグ対応パケットおよび１２セグ対応パケットのうちいずれか一方の出力信号を出力できるので、例えば番組の放送途中で他方のパケットの出力信号に出力が切り替わるなどして、番組が途切れてしまうなどの不都合がなく、良好に番組を出力することができる。
【図面の簡単な説明】
【００８９】
【図１】本発明に係る一実施の形態の放送波受信システムの概略を示すブロック図である。
【図２】番組案内テーブルの概略を模式的に示す図である。
【図３】プリセットテーブルの概略を模式的に示す図である。
【図４】受信装置のＣＰＵの概略を示すブロック図である。
【図５】プリセット設定画面の一例を示す図である。
【図６】放送波受信システムの動作におけるプリセット情報設定処理のフローチャートである。
【図７】放送波受信システムの動作における受信装置の受信出力処理のフローチャートである。
【図８】受信装置の受信出力処理における自動切替受信処理のフローチャートである。
【図９】緊急放送の放送波を受信した場合における受信装置の受信出力処理のフローチャートである。
【符号の説明】
【００９０】
２００…情報処理装置としての受信装置
２１０…配信データ取得手段としてのチューナ
２８０…移動状態検知手段としてのセンサ信号検出部
２９２…出力設定手段および要求情報認識手段としても機能するプリセット設定手段
２９３…配信データ関連情報取得手段および配信内容データ判断手段としても機能する出力制御手段
３００…出力装置
４２２…配信内容データとしての番組詳細情報
４３０…配信データ関連情報としての番組案内情報
５１０…出力階層データとしてのプリセット情報
【図１】
2007325061.tif 000003
【図２】
2007325061.tif 000004
【図３】
2007325061.tif 000005
【図４】
2007325061.tif 000006
【図５】
2007325061.tif 000007
【図６】
2007325061.tif 000008
【図７】
2007325061.tif 000009
【図８】
2007325061.tif 000010
【図９】
2007325061.tif 000011